(57)【特許請求の範囲】
【請求項１】
折り畳んで開くことができるように連結された複数の矩形状のパネル又はフレームを備えた折戸本体を覆う折戸カバーであって、
前記折戸本体の一方の側の主面を覆う第１カバー部と、
前記折戸本体の他方の側の主面を覆う第２カバー部と、
前記折戸本体の上端面及び両側端面の上で前記第１カバー部及び前記第２カバー部の対応する端縁同士を相互に固定する端縁固定手段とを備え、
前記第１カバー部又は前記第２カバー部は、前記折戸本体が閉じられたとき、各隣接する前記パネル又はフレームの対向する端面の間に屈曲した状態となって挟まれ、該折戸本体が開かれたとき、延伸した状態となって該端面を覆う屈伸部を有し、
前記屈伸部とこれに対峙する前記第２カバー部又は前記第１カバー部の部分には、前記対向する端面の間を経て相互に固定される固定部が設けられていることを特徴とする折戸カバー。
【請求項２】
前記第１カバー部及び前記第２カバー部は布製であり、
前記端縁固定手段は線ファスナであり、
隣接する前記パネル又はフレームはヒンジにより連結されており、
前記第１カバー部又は前記第２カバー部において、前記折戸本体の開閉時に前記ヒンジと干渉する部分には開口部が設けられていることを特徴とする請求項１に記載の折戸カバー。
【請求項３】
前記第１カバー部又は前記第２カバー部の上端部には、前記パネル又はフレームの上端部との間の滑動を防止する滑り止めが施されていることを特徴とする請求項１又は２に記載の折戸カバー。
【請求項４】
前記第１カバー部及び前記第２カバー部における前記パネル又はフレームの辺に対応する部分に、前記屈伸部に対峙する前記第２カバー部の部分を除き、パイピングが施されていることを特徴とする請求項１〜３のいずれか１項に記載の折戸カバー。
【請求項５】
折り畳んで開くことができるように連結された複数の矩形状のパネル又はフレームを備えた折戸本体と、請求項１〜４のいずれかの折戸カバーとを備えることを特徴とする折戸。
【請求項６】
前記パネル又はフレームには照明用の光源が組み込まれており、前記折戸カバーの第１カバー部又は第２カバー部は、該光源からの光を部分的に通す素材で構成されていることを特徴とする請求項５に記載の折戸。
【請求項７】
前記パネル又はフレームには画像表示装置が組み込まれており、前記折戸カバーの第１カバー部又は第２カバー部は、該画像表示装置に対応する部分が透明の素材で構成され又は開口していることを特徴とする請求項５又は６に記載の折戸。
【発明の詳細な説明】
【技術分野】
【０００１】
本発明は、折戸を被覆する折戸カバー及び該折戸カバーにより被覆された折戸に関する。
【背景技術】
【０００２】
従来、複数のパネルをヒンジなどで連結し、開くときに折り畳むことができる折戸が知られている（例えば、特許文献１参照）。特許文献１の折戸は、中央のパネルの幅が両側のパネルの幅よりも大きい３枚のパネルで構成されており、上方のレールによって吊り下げられている。
【０００３】
一方、収納家具の戸の表面の装飾を容易に交換できるようにした戸も知られている（例えば、特許文献２参照）。特許文献２の戸では、戸の表面の周囲に設けた枠の内側に、戸の表面を装飾する物を挿入できるようにしている。
【０００４】
他方、工事中の建物に取り付けられたドア又は工事現場への移送途中のドアを保護するドアカバーが知られている（例えば、特許文献３参照）。特許文献３のドアカバーでは、外側カバーと内側カバーとでドアの表面を覆い、外側カバー又は内側カバーに着脱可能に取り付けられた磁石、面ファスナ、両面テープ、紐等を有する取付け具により、ドアに直接取付け具の接着面を付着させることなく、外側カバーと内側カバーとをドアに固定するようにしている。
【先行技術文献】
【特許文献】
【０００５】
【特許文献１】実用新案登録第３１３８６６８号公報
【特許文献２】実用新案登録第３１５５８９９号公報
【特許文献３】特開平７−３０１００２号公報
【発明の概要】
【発明が解決しようとする課題】
【０００６】
しかしながら、特許文献２の戸は、特許文献１のような折戸に適用するには、折戸を構成するパネルごとに、装飾物を挿入するための枠を設ける必要があるので、折戸の重量や寸法を増加させて折戸の機能を損なうおそれがある。
【０００７】
また、特許文献３のカバーは、工事現場や工事現場への移送途中でドアの表面を外側カバーと内側カバーとで覆って保護するものである。したがって、このカバーは、工事終了後に使用されているドアに使用して視覚的効果を得るものではなく、また、折り畳まれて使用される折戸に適用することもできない。
【０００８】
本発明の目的は、かかる従来技術の問題点に鑑み、折戸に支障なく適用して折戸の外観に装飾的効果を付与することができる折戸カバー及びこれを有する折戸を提供することにある。
【課題を解決するための手段】
【０００９】
第１発明に係る折戸カバーは、
折り畳んで開くことができるように連結された複数の矩形状のパネル又はフレームを備えた折戸本体を覆う折戸カバーであって、
前記折戸本体の一方の側の主面を覆う第１カバー部と、
前記折戸本体の他方の側の主面を覆う第２カバー部と、
前記折戸本体の上端面及び両側端面の上で前記第１カバー部及び前記第２カバー部の対応する端縁同士を相互に固定する端縁固定手段とを備え、
前記第１カバー部又は前記第２カバー部は、前記折戸本体が閉じられたとき、各隣接する前記パネル又はフレームの対向する端面の間に屈曲した状態となって挟まれ、該折戸本体が開かれたとき、延伸した状態となって該端面を覆う屈伸部を有し、
前記屈伸部とこれに対峙する前記第２カバー部又は前記第１カバー部の部分には、前記対向する端面の間を経て相互に固定される固定部が設けられていることを特徴とする。
【００１０】
第１発明によれば、折戸本体の主面を第１カバー部及び第２カバー部で覆い、これらの端縁同士を、折戸本体の上端面及び両側端面の上で固定することができる。さらに、パネル又はフレーム間の対向する端面を、折戸本体が開かれたときにも第１カバー部又は第２カバー部の屈伸部により覆うことができる。また、この屈伸部と、これに対峙する第１カバー部又は第１カバー部の部分とを、これらの固定部により固定しておくことができる。
【００１１】
したがって、折戸本体の開閉に拘わらず、常に折戸本体全体を折戸カバーで覆った状態に維持することができる。そして、第１カバー部及び第２カバー部として装飾的な柄や模様を有するものを用いることにより、外観に装飾的効果が付与された折戸を得ることができる。
【００１２】
なお、折戸本体がパネル又はフレームを２つのみ有する場合には、第１カバー部又は第２カバー部のいずれか一方が上記の屈伸部を有し、折戸本体がパネル又はフレームを３以上有する場合には、第１カバー部及び第２カバー部のいずれもが上記の屈伸部を有する。
【００１３】
第２発明に係る折戸カバーは、第１発明において、
前記第１カバー部及び前記第２カバー部は布製であり、
前記端縁固定手段は線ファスナであり、
隣接する前記パネル又はフレームはヒンジにより連結されており、
前記第１カバー部又は前記第２カバー部において、前記折戸本体の開閉時に前記ヒンジと干渉する部分には開口部が設けられていることを特徴とする。
【００１４】
第２発明によれば、第１カバー部及び第２カバー部を、ヒンジとの干渉を回避しつつ、折戸本体に対して線ファスナにより容易に取り付けてフィットさせることができる。また、第１カバー部及び第２カバー部として異なる柄及び生地のものを容易に使用して、さらに装飾的効果を高めることができる。
【００１５】
第３発明に係る折戸カバーは、第１又は第２発明において、
前記第１カバー部又は前記第２カバー部の上端部には、前記パネル又はフレームの上端部との間の滑動を防止する滑り止めが施されていることを特徴とする。
【００１６】
第３発明によれば、滑り止めによって、パネル又はフレームに対する第１カバー部及び第２カバー部のずれを防止するとともに、折戸本体に対する第１カバー部及び第２カバー部の取付けを容易化することができる。
【００１７】
第４発明に係る折戸カバーは、第１〜第３のいずれかの発明において、
前記第１カバー部及び前記第２カバー部における前記パネル又はフレームの辺に対応する部分に、前記屈伸部に対峙する前記第２カバー部の部分を除き、パイピングが施されていることを特徴とする。
【００１８】
第４発明によれば、パイピングにより，折戸カバーによる装飾効果をさらに高めるとともに、第１カバー部又は第２カバー部の屈伸部を目立たなくすることができる。
【００１９】
第５発明に係る折戸は、折り畳んで開くことができるように連結された複数の矩形状のパネル又はフレームを備えた折戸本体と、第１〜第４のいずれかの発明の折戸カバーとを備えることを特徴とする。
【００２０】
第５発明によれば、第１〜第４のいずれかの発明の折戸カバーにより得られる効果を有する折戸を得ることができる。
【００２１】
第６発明に係る折戸は、第５発明において、
前記パネル又はフレームには照明用の光源が組み込まれており、前記折戸カバーの第１カバー部又は第２カバー部は、該光源からの光を部分的に通す素材で構成されていることを特徴とする。
【００２２】
第６発明によれば、折戸カバーを通した光源からの光により間接照明のような効果を得ることができる。また、光源からの光により折戸カバーの柄や模様などを浮き立たせて、装飾的効果を一層高めることができる。
【００２３】
第７発明に係る折戸は、第５又は第６発明において、
前記パネル又はフレームには画像表示装置が組み込まれており、前記折戸カバーの第１カバー部又は第２カバー部は、該画像表示装置に対応する部分が透明の素材で構成され又は開口していることを特徴とする。
【００２４】
第７発明によれば、パネル又はフレーム自体を画像表示装置のベースとして用いることができるので、画像表示装置の設置スペースについて省スペース化を図ることができる。また、画像表示装置によって模様などを表示することにより、視覚的効果を一層高めることができる。
【図面の簡単な説明】
【００２５】
【図１】折戸カバーの構成を示す分解斜視図である。
【図２】折戸カバーの構成を示す別の方向から見た分解斜視図である。
【発明を実施するための形態】
【００２６】
以下、図面を用いて本発明の実施形態を説明する。図１及び図２に示すように、本発明の一実施形態に係る折戸１の折戸カバー２は、折戸本体３を装飾的に被覆して折戸１を構成するために用いられる。折戸本体３は、２枚の矩形状のパネル４及び５を複数のヒンジ６で連結し、折戸１を開くときに折り畳むことができるようになっている。
【００２７】
折戸カバー２は、折戸本体３の第１主面７を覆う第１カバー部８と、折戸本体３の第２主面９を覆う第２カバー部１０と、第１カバー部８及び第２カバー部１０の上端縁同士を相互に固定する２つの線ファスナ１１及び１２と、第１カバー部８及び第２カバー部１０の側端縁同士を相互に固定する２つの線ファスナ１３及び１４とを備える。線ファスナ１１〜１４としては、ジッパ、チャックなどが該当する。
【００２８】
折戸本体３の第１主面７は、折戸本体３の両側の主面のうち、折戸本体３を折り畳んだ状態で外側となる面であり、第２主面９は、折戸本体３を折り曲げた状態で内側となる面である。
【００２９】
線ファスナ１１は、第１カバー部８及び第２カバー部１０の上端縁におけるパネル４の上端面１５に対応する部分を上端面１５上で固定するために用いられる。線ファスナ１２は該上端縁におけるパネル５の上端面１６に対応する部分を上端面１６上で固定するために用いられる。
【００３０】
線ファスナ１３は、パネル４におけるヒンジ６と反対側の側端面１７上で、第１カバー部８及び第２カバー部１０のパネル４側の側端縁同士を固定するために用いられる。線ファスナ１４は、パネル５のヒンジ６と反対側の側端面１８上で、第１カバー部８及び第２カバー部１０のパネル５側の側端縁同士を固定するために用いられる。
【００３１】
線ファスナ１１〜１４は、第１カバー部８及び第２カバー部１０の対応する４か所に、ファスナマチを介して設けられる。側端面１７及び１８に対応する線ファスナ１３及び１４は、第１カバー部８及び第２カバー部１０に対して外観上の影響がなくて目立たない、第２カバー部１０寄りに設けられる。
【００３２】
折戸本体３の上端面は、パネル４の上端面１５及びパネル５の上端面１６により構成される。折戸本体３の両側端面は、パネル４におけるヒンジ６と反対側の側端面１７及びパネル５におけるヒンジ６と反対側の側端面１８により構成される。第１カバー部８及び第２カバー部１０は、相互に異なる柄及び生地の布を用いて形成してもよい。
【００３３】
第１カバー部８は、隣接するパネル４及び５の相互に対向する側の側端面である対向端面１９及び２０に対応する部分に屈伸部２１を有する。屈伸部２１は、折戸本体３が図１、図２のように閉じられた状態において、対向端面１９及び２０の間に屈曲した状態となって挟み込まれ、折戸本体３が開かれた状態（折戸本体３が折り畳まれた状態）において、該屈曲が解除されて延伸した状態となって対向端面１９及び２０を覆う。
【００３４】
屈伸部２１は、第１カバー部８のパネル４を覆う部分とパネル５を覆う部分とを接続するマチ部分として形成される。屈伸部２１におけるヒンジ６に対応する部分には、くり抜かれて開口部２２が形成されている。これにより、屈伸部２１による対向端面１９及び２０の被覆を達成しつつ、屈伸部２１とヒンジ６との干渉を回避している。
【００３５】
また、ヒンジ６のウィングをパネル４及び５の対向端面１９及び２０に取り付ける場合には、折戸本体３の折畳みを解除して折戸を開くときにウィングと第１カバー部８の屈伸部２１とが干渉するおそれがあれば、ウィングに対応する屈伸部２１の部分に同様の開口部を設けて該干渉を回避することができる。
【００３６】
また、ヒンジ６のウィングをパネル４及び５の第２主面９側に取り付ける場合には、折戸本体３を折り畳むときにヒンジ６と第２カバー部１０とが干渉するおそれがあれば、ヒンジ６に対応する第２カバー部１０の部分に開口部を設けて該干渉を回避するようにしてもよい。
【００３７】
屈伸部２１と、これに対峙する第２カバー部１０の中央部分Ｃのハギの縫い代部分には、パネル４及び５の対向端面１９及び２０の間を経て相互に固定される複数の固定部２３及び２４が設けられる。屈伸部２１側の固定部２３は、屈伸部２１における対向端面１９又は２０に接する面の複数個所に設けられた面ファスナなどで構成される。
【００３８】
第２カバー部１０側の固定部２４は、各固定部２３に対応する位置において第２カバー部１０に一辺側が固定された固定片により構成される。固定片には同様の面ファスナが施され、又は固定片自体が面ファスナで構成される。これにより、固定部２３及び２４は、双方の面ファスナを介して相互に固定することができるようになっている。
【００３９】
第１カバー部８及び第２カバー部１０とパネル４及び５の上端部との間には相互間の滑動を防止する滑り止め２５が施されている。この滑り止め２５は、第１カバー部８及び第２カバー部１０を各パネル４、５に取り付けるときや、取り付けた後に第１カバー部８及び第２カバー部１０が各パネル４、５に対してずれるのを防止するのに役立つ。
【００４０】
なお、本実施形態では、パネル４及び５はウレタンで構成されており、第１カバー部８及び第２カバー部１０は布製であるため、滑り止めが、これらの材質間の高い摩擦係数によって、第１カバー部８及び第２カバー部１０とパネル４及び５との間の全体にわたって構成されている。
【００４１】
折戸本体３は、上部レール２６と、下部レール２７との間に取り付けられている。各パネル４、５の上端面１５、１６には、折戸本体３を吊り下げた状態で上部レール２６上を転動し得る吊り車２８が設けられる。各パネル４、５の下端面には、折戸本体３を下部レール２７上で滑動自在に支持する図示していない下部スライダが設けられる。
【００４２】
また、パネル４の第２主面９側と、パネル５の第１主面７側には、第１カバー部８及び第２カバー部１０の孔を通してパネル４及び５にそれぞれ取っ手２９が固定される。各取っ手２９は、引くようにして用いられる。第１カバー部８側の取っ手２９は、折戸本体３を折り畳んで折戸１を開く場合に用いられ、第２カバー部１０側の取っ手２９は折戸１を閉じる場合に用いられる。
【００４３】
第１カバー部８及び第２カバー部１０におけるパネル４及び５の各辺に対応する部分には、第１カバー部８の屈伸部２１に対峙する第２カバー部１０の中央部分Ｃを除き、パイピング３０が施される。パイピング３０は、折戸カバー２の周囲を囲うことによる締まった印象や折戸カバー２の色柄にアクセントを付与する装飾効果に加え、第１カバー部８の屈伸部２１の外側から見える隙間を目立たなくする効果を有する。
【００４４】
この構成において、上部レール２６と下部レール２７との間に取り付けられた折戸本体３に対して折戸カバー２を取り付けるには、まず、第１カバー部８を折戸本体３の第１主面７側に配置するとともに、第２カバー部１０を折戸本体３の第２主面９側に配置する。そして、パネル４及び５をやや折り曲げた状態で、第１カバー部８及び第２カバー部１０上端部の線ファスナ１１及び１２を閉じる。
【００４５】
このとき、滑り止め２５によりにより、第１カバー部８及び第２カバー部１０がパネル４及び５に仮止めのような状態となるので、線ファスナ１１及び１２を閉じる作業が効率的に行われる。
【００４６】
次に、第１カバー部８の屈伸部２１を屈曲させた状態でパネル４及び５の対向端面１９及び２０の間に配置し、その固定部２３に対して、対応する第２カバー部１０の固定部２４を、対向端面１９及び２０の間を経て固定させる。
【００４７】
次に、第１カバー部８及び第２カバー部１０の両側の線ファスナ１３及び１４を閉じる。そして、取っ手２９を、第１カバー部８を通してパネル５に固定し、もう１つの取っ手２９を第２カバー部１０を通してパネル４に固定する。これにより、折戸カバー２の取付けが完了する。
【００４８】
この後、第１カバー部８側の取っ手２９を引くなどの操作により折戸本体３を上部レール２６及び下部レール２７の案内に従って折り畳むことによって折戸１を開くことができる。また、第２カバー部１０側の取っ手２９を引くなどの操作により折戸本体３を上部レール２６及び下部レール２７上に伸ばすことによって折戸１を閉じることができる。
【００４９】
この間、折戸１が開かれたときには、折戸本体３が折り畳まれてパネル４及び５の対向端面１９及び２０が平面状に並び、第１カバー部８の屈伸部２１が伸びて、対向端面１９及び２０を被覆した状態となる。一方、折戸本体３が閉じられたときには、パネル４及び５が上部レール２６及び下部レール２７上に伸びて、その対向端面１９及び２０が対向し、屈伸部２１が折り曲がって、対向端面１９及び２０の間に挟まれた状態となる。
【００５０】
このような折戸１の使用に際し、折戸カバー２は、常に折戸本体３全体を覆った状態で折戸１が開閉するのを許容しながら、その表面にあしらわれた模様や装飾により、豊かな外観を提供する。
【００５１】
以上のように、本実施形態によれば、折戸本体３を第１カバー部８及び第２カバー部１０で覆い、パネル４、５の対向端面１９及び２０により挟まれる屈伸部２１を第１カバー部８に設けたので、支障なく折戸を開閉しながら使用することができる。その間、折戸本体３全体を覆う折戸カバー２の模様等により多彩な視覚的効果を提供することができる。
【００５２】
また、第１カバー部８の屈伸部２１とこれに対応する第２カバー部１０の部分には、対向端面１９及び２０間の隙間を通して相互に固定される固定部２３及び２４を設けたので、折戸の開閉に関わらず、第１カバー部８及び第２カバー部１０を確実に折戸本体３に固定することができる。
【００５３】
また、折戸本体３の上端面１５、１６及び側端面１７、１８上で、第１カバー部８及び第２カバー部１０の端縁同士を線ファスナ１１〜１４で固定するようにしたので、折戸本体３を上部レール２６と下部レール２７との間に取り付けた状態のままで折戸カバー２を折戸本体３に容易に取り付けてフィットさせることができる。その際に、第１カバー部８及び第２カバー部１０として異なる柄及び生地のものを使用して、視覚的効果を一層高めることができる。
【００５４】
また、ヒンジ６に対応する第１カバー部８の部分は開口部２２となっているので、折戸本体３を開くときにヒンジ６が第１カバー部８と干渉するのを確実に防止することができる。
【００５５】
また、第１カバー部８及び第２カバー部１０と折戸本体３の上端部との間には相互の滑動を防止する滑り止め２５が施されているので、折戸本体３に対する折戸カバー２のずれを防止するとともに、折戸本体３に対する折戸カバー２の取付けを容易に行うことができる。
【００５６】
また、折戸カバー２におけるパネル４及び５の各辺に対応する部分にパイピング３０を施したので、折戸カバー２による装飾効果を高めるとともに、第１カバー部８の屈伸部２１を目立たなくすることができる。
【００５７】
以上、本発明の実施形態について説明したが、本発明はこれに限定されない。例えば、折戸本体としては、上部レールにより吊り車を介して吊下げるのみで下部レールが無い吊り戸形式のものや、自立できるものを採用してもよい。また、折戸本体を構成するパネルの数は３枚以上であってもよい。
【００５８】
また、パネル４又は５には、照明用光源を組み込んでもよい。この場合には、第１カバー部８又は第２カバー部１０は、該光源からの光を部分的に通す素材で構成される。この照明用光源として、ＬＥＤパネルを用いてもよい。この場合、第１カバー部８又は第２カバー部１０を該光源からの光を和らげて部分的に通す素材で構成することにより、間接照明のような効果を得ることができる。
【００５９】
また、パネル４又は５には、テレビなどの画像表示装置を組み込んでもよい。この場合、第１カバー部８又は第２カバー部１０は、画像表示装置の部分が透明の素材で構成され、又は画像表示装置の部分に開口が設けられる。
【００６０】
なお、上記の光源や画像表示装置をパネル４又は５に組み込む場合には、例えば上部レール２６に沿った電源供給用のレールを設け、これを介して、折戸１を閉じた場合に光源や画像表示装置に駆動用の電力を供給できるようにすることができる。
【００６１】
第１カバー部８及び第２カバー部１０の端縁同士を固定する端縁固定手段として、線ファスナ１１〜１４に代えて、面ファスナなどを用いてもよい。ただし、面ファスナなどを用いる場合には、第１カバー部８及び第２カバー部１０の取付け時に極力取付けむらなどが生じないように注意する必要がある。
【００６２】
また、パネル４、５に代えて、矩形状の枠又はこれに補強用の部材などを加えたフレームや、木枠などを用いてもよい。また、折戸本体３は、それ自身が折戸として販売され、使用されるものであってもよい。
【００６３】
また、パネル４及び５の連結は、これらを折り畳んで開くことができるように連結し得るものであれば、ヒンジ以外の蝶番状のものを用いて行ってもよい。
【符号の説明】
【００６４】
１…折戸、２…折戸カバー、３…折戸本体、４、５…パネル、６…ヒンジ、７…第１主面、８…第１カバー部、９…第２主面、１０…第２カバー部、１１〜１４…線ファスナ、１５、１６…上端面、１７、１８…側端面、１９、２０…対向端面、２１…屈伸部、２２…開口部、２３、２４…固定部、２５…滑り止め、２６…上部レール、２７…下部レール、２８…吊り車、２９…取っ手、３０…パイピング、Ｃ…中央部分。
【要約】
【課題】折戸に支障なく適用して折戸の外観に装飾的効果を付与することができる折戸カバー及びこれを有する折戸を提供する。
【解決手段】折戸カバー２は、折戸本体３の主面７、９を覆う第１カバー部８及び第２カバー部１０と、これらの端縁同士を固定する線ファスナ１１〜１４とを備える。第１カバー部８は、折戸本体３が開かれたとき、パネル４、５の対向端面１９、２０の間に屈曲した状態となって挟まれ、折戸本体３が閉じられたき、延伸した状態となって対向端面１９、２０を覆う屈伸部２１を有する。屈伸部２１とこれに対峙する第２カバー部１０の部分には、対向端面１９、２０間を経て相互に固定される固定部２３、２４が設けられる。
【選択図】図１【図１】
0006047683.tif 000002
【図２】
0006047683.tif 000003